(57)【要約】【課題】  上方に停留する遊技球を一個ずつ取り込んで入賞させることが可能なチューリップ形式の可変入賞装置を提供すること。【解決手段】  遊技球を後方に導く球入口３が形成された取付板２の前面に、起立姿勢にて上方の停留部ｓを閉鎖し、外側へ傾動した姿勢にて停留部ｓを開放する一対の可動片９，９を駆動手段によって開閉自在に設け、それら可動片９，９の内側に対向状に突片１１，１１を形成すると共に停留部ｓから可動片１１，１１の間に一個ずつ流入する遊技球を突片１１，１１によって支持可能に設け、可動片の間に流入した遊技球は、可動片の傾動時において突片により持ち上げられて球入口３への進入を阻止され、可動片の起立姿勢時において突片の下降により球入口３への進入を可能とされる。【選択図】  図６
2006141438.tif 000002
【特許請求の範囲】
【請求項１】
遊技球を後方に導く球入口が形成された取付板の前面に、起立姿勢にて上方の停留部を閉鎖し、外側へ傾動した姿勢にて該停留部を開放する一対の可動片を駆動手段によって開閉自在に設け、それら可動片の内側に対向状に突片を形成すると共に前記停留部から可動片の間に一個ずつ流入する遊技球を該突片によって支持可能に設け、前記可動片の間に流入した遊技球は、可動片の傾動時において突片により持ち上げられて前記球入口への進入を阻止され、可動片の起立姿勢時において突片の下降により前記球入口への進入を可能とされるように構成したことを特徴とするパチンコ機の可変入賞装置。
【請求項２】
前記停留部の上方に遊技球の停留の有無を検出する検出手段を設け、その検出手段の検出作動により前記可動片の開閉動作を制御するように構成したことを特徴とする請求項１に記載のパチンコ機の可変入賞装置。
【発明の詳細な説明】
【技術分野】
【０００１】
本発明は、パチンコ機に用いられる可変入賞装置に関するものである。
【背景技術】
【０００２】
打球の始動入賞口への入賞により図柄変動表示装置の図柄の変動表示を開始させ、変動停止時の図柄が所定図柄で揃ったときに遊技者にとって有利な特別遊技、いわゆる「大当たり」状態を発生させる機会を付与する権利物と称されるパチンコ機に用いられる入賞装置として、回転体式入賞装置が多く使用されている。その回転体式入賞装置は、外周面に一個分の遊技球を収容可能とする窪み状の球保持部が形成された回転体をモータの駆動により常に一定方向に回転させるように設け、その回転体を囲むように形成された環状部材の上部に球入口を設けた構成とされている。そして、その球保持部が球入口と一致したときに球入口に待機する遊技球を球保持部に受け入れて下方へ回転移動させ、環状部材の下部に設けられた排出口から直下方に配置される始動入賞口に入賞させるように設けられている。
【０００３】
上記回転体式入賞装置においては、遊技球を一球ずつ確実に入賞制御することができるが、遊技球の待機から入賞までが回転体の回転速度によって制御されているため、例えば回転体の回転速度が一定であると大当たり権利発生後の遊技が単調になることを否めなく、  また、回転速度に合わせて入賞を狙う止め打ち等の攻略法によりパチンコ機の稼働率が低下する等の問題がある。
【０００４】
そこで、本願発明は、かかる回転体式入賞装置に見られる不具合を解消するために、回転体式と異なるいわゆるチューリップ形式の可変入賞装置を開発するに至った。
【特許文献１】特開平７−３２８１９６号公報
【特許文献２】特許第３３９４２２９号公報
【発明の開示】
【発明が解決しようとする課題】
【０００５】
本発明の目的は、上方に停留する遊技球を一個ずつ取り込んで入賞させることが可能なチューリップ形式の可変入賞装置を提供することにある。
【課題を解決するための手段】
【０００６】
前記目的を達成するために請求項１に記載した発明は、遊技球を後方に導く球入口が形成された取付板の前面に、起立姿勢にて上方の停留部を閉鎖し、外側へ傾動した姿勢にて該停留部を開放する一対の可動片を駆動手段によって開閉自在に設け、それら可動片の内側に対向状に突片を形成すると共に前記停留部から可動片の間に一個ずつ流入する遊技球を該突片によって支持可能に設け、前記可動片の間に流入した遊技球は、可動片の傾動時において突片により持ち上げられて前記球入口への進入を阻止され、可動片の起立姿勢時において突片の下降により前記球入口への進入を可能とされるように構成したことを特徴とする。
【０００７】
同様の目的を達成するために請求項２に記載した発明は、請求項１に記載のパチンコ機の可変入賞装置において、前記停留部の上方に遊技球の停留の有無を検出する検出手段を設け、その検出手段の検出作動により前記可動片の開閉動作を制御するように設けたことを特徴とするものである。
【発明の効果】
【０００８】
（請求項１の発明）
このパチンコ機の可変入賞装置は、上方に停留する遊技球を一個ずつ取り込んで入賞させることができ、チューリップ形式の構造を踏襲した新たな構成とすることにより遊技者にとって親しみやすく、生産性の面においても優れている。
【０００９】
（請求項２の発明）
このパチンコ機の可変入賞装置は、遊技球の停留の有無を検出手段により検出することによって可動片の開閉のタイミングを制御することができるので、遊技の興趣を高めることが可能であると共に特定のタイミングを狙う止め打ちを防止することができる。
【発明を実施するための最良の形態】
【００１０】
以下に、本発明の最良の形態例を図面に基づいて説明する。図１は可動片の閉じた状態を示す可変入賞装置の正面図、図２は図１の縦断側面図、図３は一部を破断して示す可変入賞装置の正面図、図４は可動片とその駆動手段を示す斜視図、図５は可動片とその駆動手段（駆動時）を示す斜視図、図６は遊技球を一個ずつ取り込む動作を（イ）〜（ハ）の段階的に示す説明図、図７は可変入賞装置の開閉制御方法の一例を示すフローチャートである。
【００１１】
図において、１はパチンコ機の遊技盤の前面に取付けられる可変入賞装置である。この可変入賞装置１の取付板２には、そのほぼ中央部に遊技球を後方に導く球入口３を形成し、その裏面に球入口３を囲むように枠片４を突設する。その取付板２の前面で球入口３の直ぐ上方には、遊技者によって打ち込まれる遊技球を通過させるゲート５と、遊技球の停留の有無を検出する検出手段たる近接スイッチ５０を装着するための挿入穴６を設ける。
【００１２】
上記取付板２の前面には、球入口３の両側に位置させた一対の軸８，８が水平方向で平行に突設されたカバー片７を取付け、それらの軸８，８によりほぼ逆Ｌ字形の一対の可動片９，９を回転可能に支持するように設ける。
【００１３】
それら可動片９，９は、起立姿勢にて上方の内端面９ａ，９ａ同士を当接するように設けられていて遊技球を安定して支承する窪み１０が上面９ｂに夫々形成されている。各可動片９には、その内端面９ａから一個分の遊技球を収容可能な空間部が設けられて内側に対向状に突片１１を夫々形成し、停留部ｓから一個ずつ流入する遊技球をこれら突片１１，１１によって支持可能に設けられている。また、それら可動片９の後面には、取付板２に形成された図示しない開口から後方に突出する連動杆１２が一体に形成されている。
【００１４】
なお、上記停留部ｓとは、起立姿勢の可動片９，９の上面９ｂにて遊技球を支持可能な箇所を言うものとする。
【００１５】
１５は枠片４に遊嵌した軸１８により鉛直面内で揺動可能に支持されたレバーである。このレバー１５は、図４に示すように、所定間隔をおいて平行に配置された一対のレバー片１６，１６が連結軸１７によって一体に設けられ、可動片９，９側に延びる各レバー片１６の前端部１６ａに係合溝１９を形成すると共に軸１８からやや後方の上方に延びる立ち上がり部１６ｂに内方に突出する突起２０が一体に設けられている。そして、各レバー片１６の係合溝１９には、可動片９の連動杆１２の先端部を夫々遊嵌している。
【００１６】
前記枠片４に取り付けられたブラケット２２には、バネ２５により常に外方へ延びる方向に付勢されたプランジャー２４を備えたソレノイド２３を取付ける。そして、そのプランジャー２４の先端に設けられた凹部２４ａには、レバー１５の突起２０，２０を夫々係合するように設ける。これらレバー１５とソレノイド２３により駆動手段が構成されている。
【００１７】
しかして、ソレノイド２３の非駆動（消磁）時には、レバー１５の前端部１６ａを下降させた状態とすることにより一対の可動片９，９を起立姿勢とし、上方の停留部ｓを閉鎖させる。他方、ソレノイド２３を駆動させてレバー１５の前端部１６ａを上方へ移動させることにより可動片９，９を外側へ傾動した姿勢とし、停留部ｓを開放するように設けられている。
【００１８】
５１は入賞した遊技球の通過を確認する近接スイッチである。この近接スイッチ５１は、前記枠片４とブラケット２２によりレバー１５の下方位置に横向きに取付けられている。５２は近接スイッチ５１の通過穴である。
【００１９】
つぎに、かかる構成になる本発明の可変入賞装置１の作動を図面に基づいて説明する。
（１）図６の（イ）に示すように、遊技者によって打ち込まれた遊技球ａが可変入賞装置１のゲート５を通過して閉鎖された停留部ｓに停留すると、近接スイッチ５０によってその停留が検出される。
（２）近接スイッチ５０の検出信号によりソレノイド２３が駆動されてレバー１５の前端部１６ａを上方へ移動させるので、可動片９，９は外側へ傾動して停留部ｓを開放する。これにより、遊技球ａはそれら可動片９，９の間に落下する。
（３）可動片９，９の間に流入した遊技球ａは、図６の（ロ）に示すように、二つの突片１１，１１により支持されて球入口３の上端縁３ａに当接するため、当該球入口３への進入を阻止される。
（４）ついで、ソレノイド２３の非駆動により可動片９，９が起立して突片１１，１１を下降させるので［図６の（ハ）］、遊技球ａは球入口３の内方へ進入して近接スイッチ５１により入賞を確認される。
（５）可動片９，９の間には遊技球が一個のみ流入可能であるため、例えば、図６の（ロ）の状態の場合にゲート５に入った遊技球ｂは、図６の（ハ）に示すように、可動片９，９が起立したときに押し上げられて停留部ｓに待機することになる。
（６）停留部ｓに停留する遊技球は、（１）〜（５）の動作が繰り返されることにより一個ずつ確実に球入口３から取り込まれて入賞球とされる。
【００２０】
なお、本実施例においては、停留部ｓに停留する遊技球は一個とされているが、ゲート５の長さを大きくすれば複数個の遊技球を停留させることも可能である。また、この実施例では、突片１１，１１により持ち上げられた遊技球を球入口３の上端縁３ａに当接させることにより当該遊技球の球入口３への進入を阻止するように設けているが、これを、例えば、球入口３の上端縁部分に下方に向けて突出するように形成した遊技球阻止部を設け、この遊技球阻止部に突片１１，１１により持ち上げられた遊技球を当接させることにより当該遊技球の球入口３への進入を阻止するように構成することも可能である。
【００２１】
本発明の可変入賞装置の開閉制御方法の一例を、図７に示すフローチャートにより説明する。
（１）遊技者によって打ち込まれた遊技球ａがゲート５を通過して閉鎖された停留部ｓに停留すると、近接スイッチ５０によってその停留が検出される（Ｓ７０）。
（２）その検出信号に基づきパチンコ機の図示しない制御部において、予め設定された停留部ｓの開放パターンの抽選が行なわれる（Ｓ７１）。
（３）抽選の結果、開放パターン１の場合（Ｓ７２）には、３秒後にソレノイド２３の駆動により可動片９，９が外側へ傾動して停留部ｓを開放させる（Ｓ７３，Ｓ７４）。同様に、開放パターン２の場合（Ｓ７５）には、６秒後に停留部ｓを開放させ（Ｓ７６，Ｓ７７）、開放パターン３の場合（Ｓ７８）には、９秒後に停留部ｓを開放させる（Ｓ７９，Ｓ８０）。
（４）停留部ｓの開放により、遊技球ａは可動片９，９の間に落下して突片１１，１１により支持され、球入口３への進入を阻止される（Ｓ８１）。
（５）（４）の状態で２秒経過すると（Ｓ８２）、ソレノイド２３の非駆動により可動片９，９が起立して突片１１，１１を下降させるので、遊技球ａは球入口３の内方へ進入して入賞球となる（Ｓ８４）。
（６）以後、（１）〜（５）の動作制御が繰り返されることにより停留部ｓにて検出される遊技球は、一個ずつ確実に取り込まれて入賞球とされる。
【００２２】
以上に述べた通り、このパチンコ機の可変入賞装置は、上方に停留する遊技球を一個ずつ取り込んで入賞させることができ、チューリップ形式の構造を踏襲した新たな構成とすることにより遊技者にとって親しみやすく、遊技の興趣を高めることが可能である。
【図面の簡単な説明】
【００２３】
【図１】可動片の閉じた状態を示す可変入賞装置の正面図
【図２】図１の縦断側面図
【図３】一部を破断して示す可変入賞装置の正面図
【図４】可動片とその駆動手段を示す斜視図
【図５】可動片とその駆動手段（駆動時）を示す斜視図
【図６】遊技球を一個ずつ取り込む動作を（イ）〜（ハ）の段階的に示す説明図
【図７】可変入賞装置の開閉制御方法の一例を示すフローチャート
【符号の説明】
【００２４】
１・・・可変入賞装置
２・・・取付板
３・・・球入口
５・・・ゲート
９，９・・・可動片
１１，１１・・・突片
１５・・・レバー
２３・・・ソレノイド（駆動手段）
５０・・・近接スイッチ（検出手段）
ｓ・・・停留部
【図１】
2006141438.tif 000003
【図２】
2006141438.tif 000004
【図３】
2006141438.tif 000005
【図４】
2006141438.tif 000006
【図５】
2006141438.tif 000007
【図６】
2006141438.tif 000008
【図７】
2006141438.tif 000009